(57)【要約】【課題】接続作業性に優れたケーブル接続用コネクタの提供を目的とする。【解決手段】防水型のケーブル接続用のコネクタであって、コネクタは、ターミナルを接続したケーブルを装着するための筒状部を有するハウジングと防水性のブッシュとカバー部材とクランプ部材とを備え、前記ブッシュはケーブルを前記筒状部経由によりハウジングに装着した状態で当該ブッシュの前部側を筒状部の外周部に弾性装着し、後部側をケーブルの外周部に弾性装着してあり、前記カバー部材はクランプ部材の装着部を有し、前記装着部に装着したクランプ部材でケーブルをクランプするものであることを特徴とする。【選択図】  図１
2016085825.tif 000002
【特許請求の範囲】
【請求項１】
防水型のケーブル接続用のコネクタであって、
コネクタは、ターミナルを接続したケーブルを装着するための筒状部を有するハウジングと防水性のブッシュとカバー部材とクランプ部材とを備え、
前記ブッシュはケーブルを前記筒状部経由によりハウジングに装着した状態で当該ブッシュの前部側を筒状部の外周部に弾性装着し、後部側をケーブルの外周部に弾性装着してあり、
前記カバー部材はクランプ部材の装着部を有し、
前記装着部に装着したクランプ部材でケーブルをクランプするものであることを特徴とするケーブル接続用コネクタ。
【請求項２】
前記クランプ部材は第１クランプ部材と第２クランプ部材との相互嵌合により前記ケーブルをクランプするものであることを特徴とする請求項１記載のケーブル接続用コネクタ。
【請求項３】
前記第１クランプ部材と第２クランプ部材とはプレ嵌合部と嵌合部との二段嵌合構造であり、
カバー部材の前記装着部に、第１クランプ部材と第２クランプ部材とをプレ嵌合部が嵌合した状態で装着してあり、
前記ハウジングにケーブルを挿入装着した後に第１クランプ部材と第２クランプ部材とを嵌合部にて相互に嵌合しケーブルをクランプするものであることを特徴とする請求項２記載のケーブル接続用コネクタ。
【発明の詳細な説明】
【技術分野】
【０００１】
本発明は、防水型のケーブル接続用のコネクタに関する。
【背景技術】
【０００２】
例えば、複数のソーラーパネルを現地で接続するのに防水性があるケーブル接続用コネクタが使用されている。
例えば、特許文献１には、ダブルナット，ラチエット機構によりケーブルを接続するケーブルの締め付け接続固定構造を開示する。
しかし、このようなねじ込みによるケーブルの接続固定構造にあっては、締め付け作業に大きな工数が必要となり、作業性に劣っていた。
【先行技術文献】
【特許文献】
【０００３】
【特許文献１】特開２０１１−１８４６３号公報
【発明の概要】
【発明が解決しようとする課題】
【０００４】
本発明は、接続作業性に優れたケーブル接続用コネクタの提供を目的とする。
【課題を解決するための手段】
【０００５】
本発明に係るケーブル接続用コネクタは、防水型のケーブル接続用のコネクタであって、コネクタは、ターミナルを接続したケーブルを装着するための筒状部を有するハウジングと防水性のブッシュとカバー部材とクランプ部材とを備え、前記ブッシュはケーブルを前記筒状部経由によりハウジングに装着した状態で当該ブッシュの前部側を筒状部の外周部に弾性装着し、後部側をケーブルの外周部に弾性装着してあり、前記カバー部材はクランプ部材の装着部を有し、前記装着部に装着したクランプ部材でケーブルをクランプするものであることを特徴とする。
ここで、コネクタのハウジングとケーブルとの間は、ブッシュで水密性を確保することができるが、ブッシュの内周面とハウジングの筒状部の外周面及びケーブルの外周面との間は弾性密着した状態になっているので、ケーブルが引き抜かれる方向に力が作用すると、ケーブルをハウジングに保持させることが不充分になる恐れがある。
そこで本発明は、ケーブルをクランプ保持するためのクランプ機構をカバー部材に設けたことに特徴がある。
【０００６】
本発明においては、ケーブルがハウジングから抜けないように、このケーブルをクランプできるものであれば構造に制限はない。
カバー部材に装着しやすい構造としては、例えばクランプ部材は第１クランプ部材と第２クランプ部材との相互嵌合により前記ケーブルをクランプするものであってもよい。
【０００７】
ここで、第１クランプ部材と第２クランプ部材とはプレ嵌合部と嵌合部との二段嵌合構造であり、カバー部材の前記装着部に、第１クランプ部材と第２クランプ部材とをプレ嵌合部が嵌合した状態で装着してあり、前記ハウジングにケーブルを挿入装着した後に第１クランプ部材と第２クランプ部材とを嵌合部にて相互に嵌合しケーブルをクランプするものであると、クランプ部材をプレ嵌合状態でカバー部材に取り付けておくことができるので、コネクタのハウジングの筒状部にブッシュの前部側を弾性装着及びこのブッシュの外周部にクランプ部材をプレ嵌合したカバー部材を装着した状態で現地に持ち込むことができる。
現地において、芯線にターミナルを接続したケーブルをコネクタの後方側からハウジング内に挿入装着し、クランプ部材を嵌合状態になるように第１クランプ部材と第２クランプ部材を相互に押し込むだけで、ケーブルの接続固定が完了する。
【発明の効果】
【０００８】
本発明に係るケーブル接続用コネクタは、ハウジングとケーブルの外周部との間を弾性材からなるブッシュで防水を図るとともに、カバー部材に装着したクランプ部材でケーブルをクランプ保持するので、従来のねじ込み式のコネクタに比較して、現地での接続固定の作業性に優れる。
【図面の簡単な説明】
【０００９】
【図１】本発明に係るケーブル接続用コネクタの構造例を示す。（ａ）はカバー部材の取付構造が分かるようにブッシュにカバー部材を取り付ける前の状態を示し、（ｂ）はカバー部材に第１クランプ部材と第２クランプ部材をプレ嵌合状態にした状態でケーブルをコネクタの後方から挿入した状態を示し、（ｃ）は第１クランプ部材と第２クランプ部材とを相互に挿し込み、ケーブルを嵌合クランプした状態を示す。
【図２】図１の（ａ），（ｂ），（ｃ）にそれぞれ対応する断面図（ａ），（ｂ），（ｃ）を示す。
【図３】（ａ）はカバー部材にクランプ部材を装着する前を示し、（ｂ）は第１クランプ部材と第２クランプ部材とをプレ嵌合状態にカバー部材に装着した状態を示す。
【図４】（ａ）はＡ−Ａ線断面図、（ｂ）はＢ−Ｂ線断面図を示す。
【図５】（ａ）は第１クランプ部材、（ｂ）は第２クランプ部材、（ｃ）は第１クランプ部材と第２クランプ部材との相互の位置関係を示し、（ｄ）は第１クランプ部材と第２クランプ部材との嵌合状態を示し、（ｅ）はその反対側から見た外観図を示す。
【図６】本発明に係るコネクタ構造をソケットコネクタとプラグコネクタに採用した例を示し、（ａ）は嵌合前、（ｂ）は嵌合接続後を示す。
【図７】図６（ｂ）の断面図を示す。
【発明を実施するための形態】
【００１０】
本発明に係るコネクタ構造を採用したソケットコネクタ１０と、プラグコネクタ２０とを相互に接続した状態を図７に示し、図１，２はソケットコネクタ１０の例を示す。
以下、ソケットコネクタ（以下、単にコネクタと称する）を例に説明する。
コネクタ１０は、図７に示すようにケーブル１の先端部芯線にターミナル１ａが圧着され、樹脂製のハウジング１１内に装着されている。
ターミナル１ａをハウジング１１の後方から挿入すると、ターミナル１ａに設けたランス１ｂがハウジング内の係止部１１ｈにランス係止する。
ハウジング１１は、本体部１１ａと、ゴム製のブッシュ１２の前部側を弾性装着する筒状部１１ｅ及び対応するプラグコネクタ２０と嵌合する嵌合部１１ｉを有する。
図１に示すようにハウジング１１は、つば部１１ｃと、後述するカバー部材１３に設けた係止孔１３ｂに係止する係止突部１１ｂ及び位置決め突部１１ｄを有する。
また、ハウジング１１は、プラグコネクタ２０と嵌合する嵌合部１１ｉの根元側にＯリング１１ｇを装着してあり、プラグコネクタ２０との間をシールし、図６に示すようにフック爪１１ｆにてプラグコネクタ２０のハウジング２１に設けた係止部２１ｆと係止連結する。
なお、コネクタ１０のプラグコネクタ２０との連結構造に制限はなく、各種構造を採用することができる。
【００１１】
ハウジング１１の筒状部１１ｅに前部側１２ａを弾性装着したブッシュ１２の後部側１２ｂは、後方からターミナルが圧着されたケーブル１を挿入すると、このケーブル１の外周部と弾性密着するようになっている。
図１（ａ）は、説明のためにカバー部材１３をハウジング１１から取り外してあるが、実際には図１（ｂ）に示すようにハウジング１１にカバー部材１３を取り付けた状態で後方からケーブル１を挿入接続する。
ブッシュ１２は、ハウジング１１の筒状部１１ｅからケーブル１の外周部に跨がって弾性装着され、ケーブルとハウジングとの間がシールされる。
図２に示すようにカバー部材１３は、ブッシュ１２を覆うように取り付けられ、カバー部材１３の後部よりに図３に示すように第１クランプ部材１４と第２クランプ部材１５の装着孔１３ｄを有する。
第１，第２クランプ部材１４，１５の外観図を図５に示し、断面図を図３，４に示す。
第１クランプ部材１４と第２クランプ部材１５は、相互に嵌合する嵌合部を有するが、図３（ｂ）に示すようにカバー部材１３の装着孔１３ｄから上部が突出した状態でカバー部材１３に取り付けられたプレ嵌合状態と、図１（ｃ），図４（ｂ）に示すようにケーブル１の外周部を挟持するようにクランプする嵌合状態の二段嵌合構造になっている。
第１クランプ部材１４と第２クランプ部材１５の側面には、図５（ｅ）に示すようにガイド凹部１４ｈ，１５ｈを有し、このガイド凹部をカバー部材１３のスライド凸部１３ｅに沿って挿入する。
第１クランプ部材１４は、基部１４ａから一対の嵌合片１４ｂ，１４ｅを有し、一方の嵌合片１４ｂには孔部を形成し、孔壁に係止部１４ｃを設け、他方の嵌合片１４ｅには爪状の係止突部１４ｆを有する。
また、嵌合片１４ｂには、カバー部材の本体部１３ａの内側に形成した規制突部１３ｆを乗り越えて抜け方向が規制される突部１４ｄを有する。
【００１２】
第２クランプ部材１５は、第１クランプ部材１４に対応するように、基部１５ａから延在させた一対の嵌合片１５ｂ，１５ｅを有し、一方の嵌合片１５ｂには、係止突部１５ｃを設け、他方の嵌合片１５ｅには孔の側壁に係止部１５ｆを設け、この嵌合片１５ｅにカバー部材１３側の規制突部１３ｇを乗り越え、抜け方向を規制する突部１５ｄを有する。
これにより、第１クランプ１４と第２クランプ部材１５の突部１４ｄ，１５ｄがカバー部材１３の内側の規制突部１３ｆ，１３ｇを乗り越えた状態で図４（ａ）に示すようにプレ嵌合状態になり、カバー部材１３に取り付けられている。
この状態では図４（ａ）に示すように、ケーブル１の外径よりも大きな空間が内部に形成され、ケーブル１を後方から挿入できる。
ケーブル１をハウジングに装着した状態で、第１クランプ部材１４と第２クランプ部材１５の基部１４ａ，１５ａを相互に押し込むと、図４（ｂ）に示すように第１クランプ部材１４の係止突部１４ｆが第２クランプ部材１５の係止部１５ｆに係止、第２クランプ部材１５の係止突部１５ｃが第１クランプ部材１４の係止部１４ｃに相互に係止し、ケーブル１を上下からクランプする。
これにより、第１クランプ部材１４のクランプ部１４ｇと、第２クランプ部材のクランプ部１５ｇとがケーブル１の外周部をクランプ挟持し、ケーブル１が抜ける方向に移動するのを防止する。
【００１３】
本発明に係るコネクタは、コネクタ１０の第１，第２クランプ部材１４，１５をプレ嵌合の状態で取り付けてあるので、そのまま現地に持ち込むことができ、現地にて先端にターミナルを圧着したケーブル１を後方から挿入及びハウジング１１にランス係止させ、そのまま第１，第２クランプ部材を相互に押し込み、クランプできる。
よって、現地でのケーブル接続が容易であり、接続工数も小さくなる。
【符号の説明】
【００１４】
１        ケーブル
１０      コネクタ
１１      ハウジング
１２      ブッシュ
１３      カバー部材
１４      第１クランプ部材
１５      第２クランプ部材
【図１】
2016085825.tif 000003
【図２】
2016085825.tif 000004
【図３】
2016085825.tif 000005
【図４】
2016085825.tif 000006
【図５】
2016085825.tif 000007
【図６】
2016085825.tif 000008
【図７】
2016085825.tif 000009